(57)【要約】【課題】  撮像装置の内部メモリに蓄積された画像データをインターフェースを介して接続された記録媒体に書き込む際に、ストロボ装置の発光時に生じるノイズの影響を受けやすい。【解決手段】  ストロボ装置１９による発光を行うと判定された場合には、記録禁止フラグがＯＮされ、ストロボ装置１９による発光が完了する所定時間が経過するまでは記録禁止フラグがＯＦＦに設定されず、カメラの内蔵メモリ１５内の画像データを記録媒体１８に書き込むことが行われないよう構成することで、画像データが内蔵メモリ１５と記録媒体１８の通信路上にてストロボ装置１９の発光に伴うノイズの影響を受けることを防止することができる。【選択図】  図２
2006203527.tif 000002
【特許請求の範囲】
【請求項１】
被写体像を電気信号に変換する撮像素子と、該撮像素子にて得られた電気信号を基に生成された画像データを蓄積する内部メモリと、外部の記録媒体を着脱可能な接続部とを有し、前記接続部を介して前記内部メモリに蓄積された画像データを前記記録媒体に書き込むことが可能な撮像装置において、
前記撮像素子の露光の際におけるストロボ装置による発光の有無を判定し、前記判定結果に応じて、前記内部メモリに蓄積された画像データを前記記録媒体に書き込むタイミングを変更することを特徴とする撮像装置。
【請求項２】
前記撮像素子の露光の際に前記ストロボ装置による発光が行われると判定した場合に記録禁止フラグを立ち上げるフラグ制御手段を有し、前記記録禁止フラグの立ち上げに応じて、前記内部メモリに蓄積された画像データを前記記録媒体に書き込むことを禁止することを特徴とする請求項１に記載の撮像装置。
【請求項３】
前記フラグ制御手段は、前記記録禁止フラグを立ち上げてから所定時間が経過すると、前記記録禁止フラグを解除することを特徴とする請求項２に記載の撮像装置。
【請求項４】
前記フラグ制御手段は、前記記録禁止フラグを立ち上げている間に前記ストロボ装置による発光が完了したことを検知すると、前記記録禁止フラグを解除することを特徴とする請求項２に記載の撮像装置。
【請求項５】
前記フラグ制御手段は、前記ストロボ装置が発光を開始するよりも前に前記ストロボ装置が発光を行う旨の通知を受けて、前記記録禁止フラグを立ち上げることを特徴とする請求項３または４に記載の撮像装置。
【請求項６】
前記内部メモリと前記接続部が別々の基板に設けられていることを特徴とする請求項１から５のいずれかに記載の撮像装置。
【請求項７】
被写体像を電気信号に変換する撮像素子と、該撮像素子にて得られた電気信号を基に生成された画像データを蓄積する内部メモリと、外部の記録媒体を着脱可能な接続部とを有し、前記接続部を介して前記内部メモリに蓄積された画像データを前記記録媒体に書き込むことが可能な撮像装置の制御方法において、
前記撮像素子の露光の際にストロボ装置による発光が行われると判定した場合に、少なくとも前記ストロボ装置による発光が行われている間は、前記内部メモリに蓄積された画像データを前記記録媒体に書き込むことを禁止することを特徴とする撮像装置の制御方法。
【請求項８】
前記撮像素子の露光の際にストロボ装置による発光が行われると判定してから所定時間経過後に、前記内部メモリに蓄積された画像データを前記記録媒体に書き込むことを許可することを特徴とする請求項７に記載の撮像装置の制御方法。
【請求項９】
前記ストロボ装置による発光が完了したことを検知すると、前記内部メモリに蓄積された画像データを前記記録媒体に書き込むことを許可することを特徴とする請求項７に記載の撮像装置の制御方法。
【請求項１０】
前記内部メモリに蓄積された画像データを複数のブロックに分割し、前記内部メモリに蓄積された画像データは前記ブロック毎に前記記録媒体に書き込まれるものであって、前記ストロボ装置による発光が行われると判定されてから実際に前記ストロボ装置によって発光が行われるまでの時間が、前記画像データの一つのブロックの書き込みに要する最大の時間よりも長く設定されていることを特徴とする請求項８または９に記載の撮像装置の制御方法。
【請求項１１】
連写撮影を行う場合には、前記画像データを取得する度に前記ストロボ装置による発光が行われるか判定を行うことを特徴とする請求項７から１０のいずれかに記載の撮像装置の制御方法。
【発明の詳細な説明】
【技術分野】
【０００１】
本発明はストロボ発光を伴う撮影時における撮像装置の記憶媒体への画像データの記録に関するものである。
【背景技術】
【０００２】
被写体の輝度が低い場合には、ストロボ装置を発光させて撮影を行うことが一般的に行われている。ストロボ装置では、発光時には、内部のトリガーコイルによって昇圧された非常に高い電圧のトリガー信号が発光管に印加される。このトリガー信号や、発光時に発光管内部のキセノンガスのイオン化によって発生する強い電気的ノイズが、電気回路の動作に影響を与えることがある。
【０００３】
着脱可能な記録媒体を使用する機器においては、記録媒体の装着位置の制約などから、画像データを一時的に蓄積する内部メモリが設けられたメインとなる基板とは別の基板上に記録媒体との接続部（インターフェース部）が備えられていることが多い。一般に撮像装置に搭載される複数基板のそれぞれには各種ノイズに対するさまざまな構成が設けられているが、基板と基板の接続部には構成上の制約が多く、ノイズ対策を施しにくい。そのため、ストロボ装置の発光時に生じるノイズの影響によって、画像データを記録媒体へ記録する際に不具合を起こすことがあった。
【０００４】
ストロボ装置の発光時に生じるノイズへの対策方法として、例えば、ストロボ装置の発光量の制御回路による誤動作を防ぐため、調光センサをストロボ装置の発光部から離して配置し、これらの間にライトガイドや光ファイバー等の導光部材を設ける構成としたものが提案されている（例えば、特許文献１参照）。
【特許文献１】特開２０００−２５０１０４号公報
【発明の開示】
【発明が解決しようとする課題】
【０００５】
しかしながら、ストロボ装置の発光部も記録媒体とのインターフェース部も、何処にでも配置できるほど小さな部材という訳ではなく、撮像装置の他の部材および回路の配置の都合や、デザイン的な都合により、これらが配置される個所には制約が生じる。また、ストロボ装置の発光部と記録媒体とのインターフェース部を離すといっても距離的な限界があり、ストロボ装置の発光時に生じるノイズの影響によって、画像データを記録媒体へ記録する際に不具合の大幅な低減を期待することはできない。
【課題を解決するための手段】
【０００６】
上記課題を解決するために、本発明では、撮像素子の露光の際におけるストロボ装置による発光の有無を判定し、この判定結果に応じて、内部メモリに蓄積された画像データを、接続部を介して装着された外部の記録媒体に書き込むタイミングを変更することを特徴とする撮像装置、あるいは撮像装置の制御方法を提供するものである。
【発明の効果】
【０００７】
本発明によれば、ストロボ装置の発光に伴って生じるノイズによる記録処理への影響が抑えることができる。
【発明を実施するための最良の形態】
【０００８】
以下、添付図面に従って好適な実施例をあげて本発明を詳細に説明する。
【０００９】
図１は、本発明の実施例におけるデジタルスチルカメラのブロック構成図の一例である。以下に、その構成をその動作処理と共に説明する。
【００１０】
１１は光学レンズ、メカニカルシャッタ、絞り、およびこれらを駆動するドライバ等で構成される光学ユニットであり、１２はＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等からなる撮像素子であり、光学ユニット１１を通過した光束が表面に結像され、電気信号を出力する。１３は撮像素子１２から出力された信号をデジタル画像データに変換する画像処理手段であり、１４は画像処理手段１３から出力された画像データを用いて使用者が視覚的に画像データを認識できるよう表示を行うＥＶＦ（Ｅｌｅｃｔｒｉｃ  Ｖｉｅｗｆｉｎｄｅｒ）等の表示手段である。１５は画像処理手段１３から出力されたデジタル画像データを一時的に記憶する内蔵メモリであり、１７は記録媒体１８をデジタルスチルカメラに装着するための接続部（インターフェース）であり、内部メモリ１５が搭載された基板とは異なる基板に設けられている。１６は記録制御手段であり、内蔵メモリ１５に書き込まれた画像データを読み出し、インターフェース１７を介して記録媒体１８へ書き込む動作を制御する。１９はストロボ装置であり、本実施例ではデジタルスチルカメラの内部に搭載されている。２０はストロボ装置の充電動作や発光タイミングを制御するストロボ制御手段であり、２１はフラグ制御手段であり、詳細は後述する記録禁止フラグの設定を行う。２２は画像処理手段１３、記録手段１６、ストロボ制御手段２０、フラグ制御手段２１と通信しデジタルスチルカメラ全体の動作を統括する演算手段として作用するＣＰＵ（Ｃｅｎｔｒａｌ  Ｐｒｏｃｅｓｓｉｎｇ  Ｕｎｉｔ）である。２３は使用者がデジタルスチルカメラに対して指示を入力するための入力手段であり、使用者がこの入力手段２３を用いることでデジタルスチルカメラに対して様々な設定を行うことができ、単写撮影（１回の撮影指示に応じて１つの画像データを得る撮影）と連写撮影（１回の撮影指示に応じて複数の画像データを得る撮影）とを切り替えて設定することができる。このデジタルスチルカメラは不図示のレリーズボタンを途中まで押し込むことでＳＷ１がオン（ＯＮ）して主被写体に対する自動合焦調整制御（ＡＦ）および自動露出制御（ＡＥ）が行われ、さらに押し込むことでＳＷ２がオン（ＯＮ）して記録媒体１８に記録するべき画像データの取り込み動作が行われる。なお、以下の各実施例における撮影動作とは、撮影者の指示（ＳＷ２のＯＮ）に応じて保存を目的とした画像データを取得する動作を意味する。
【実施例１】
【００１１】
図２にデジタルスチルカメラの撮影動作のフローを示す。本実施例での連写撮影モードでは上述のＳＷ２がＯＮし続けている間だけ行われるものとするが、予め定められた所定の枚数だけ連続して画像データを取り込む構成としても構わない。また、本実施例の連写撮影モードでは、連写撮影中に露出制御状態を変更することはせず、１枚目の画像データ取得時にストロボ装置１９を発光させた場合は連写撮影における残りの画像データ取得時もストロボ発光を行う。
【００１２】
連写撮影を行う際には、撮像素子にて得られた画像データを撮像装置の内部メモリに書き込む動作と、内部メモリに書き込まれた画像データを読み出して撮像装置に着脱可能な記録媒体に書き込む動作とを並行に行わせることで、撮像装置の内部メモリの容量より多くの画像データを記録することを可能としているため、ストロボ装置を発光させる場合に一概に記録媒体への書き込みを禁止する構成としてしまうと、連写による画像データの総量が内部メモリの容量を超えないように連写可能な画像データの容量が制限されてしまう。また、連写撮影が終了するのを待ってから、内部メモリに蓄積された画像データを全て読み出して記録媒体へ書き込む動作とすると、ストロボ装置を発光させない場合と比較して、内部メモリに十分な容量が空くまでに要する時間が長くなり、撮像装置の使用者に違和感を生じさせてしまう可能性があった。
【００１３】
そこで本実施例では、画像データは複数のブロックに分割されて書き込み動作が行われており、ブロック間であれば記録の一時的な待機を容易に行うことができる構成とし、連写撮影中にストロボ装置１９による発光が行われるタイミングの近傍においてのみ、記録媒体１８への画像データの書き込みを禁止することとした。
【００１４】
デジタルスチルカメラの電源が入れられると画像データを取得する撮影モードと、すでに取得した画像データを表示手段に表示する再生モードのどちらが選択されているかを判定し、撮影モードであれば撮影モードにおける処理を行ない、再生モードであれば再生モードにおける処理を行う。
【００１５】
この撮影モードにて不図示のレリーズボタンが途中まで押し込まれてＳＷ１がＯＮされると、ＣＰＵ２２は図２に示す以下のフローを実行する。
【００１６】
ステップＳ１０１にて主被写体と推定される領域に焦点が合うようにＡＦが行われ、このＡＦの対象とされた領域が適正輝度となるように、このエリアを中心としたＡＥが行われる。
【００１７】
ステップＳ１０２にて、ステップＳ１０１のＡＥ動作をうけてストロボ装置１９の発光を行わせる必要があるか否かを判定し、ストロボ装置を発光させる必要があると判断すればステップＳ１０３へ進み、必要がないと判断すればステップＳ１０４へ進む。ストロボ装置１９を強制的に発光させるよう設定がなされていればＡＥ動作にて得られた結果によらずステップＳ１０３へ進む。
【００１８】
ステップＳ１０３にてフラグ制御手段２１に発光フラグをＯＮさせる（立ち上げさせる）。
【００１９】
ステップＳ１０４にて不図示のレリーズボタンがさらに押し込まれてＳＷ２がＯＮしたかを判定する。ＳＷ２がＯＮしていればステップＳ１０６に進み、ＯＮしていなければステップＳ１０５に進む。
【００２０】
ステップＳ１０５にてＳＷ１がＯＮされ続けているかを判定し、ＯＮされ続けていればステップＳ１０４に戻り、ＳＷ１がＯＮされ続けていなければこのフロー終了する。
【００２１】
ステップＳ１０６にて発光フラグがＯＮされているかを判定し、ＯＮされていればステップＳ１０７に進み、ＯＮされていなければステップＳ１０８に進む。
【００２２】
ステップＳ１０７にてフラグ制御手段２１に記録禁止フラグをＯＮさせ（立ち上げさせ）、露光動作を開始するステップＳ１０８、および、タイマーを作動させるステップＳ１１６に進む。
【００２３】
ステップＳ１０８にて記録媒体１８に記録する画像データを得るための撮像素子１２への露光を開始する。
【００２４】
ステップＳ１０９にて発光フラグがＯＮしているかを判定し、ＯＮしていればステップＳ１１０へ進み、ＯＮしていなければＳ１１１に進む。
【００２５】
ステップＳ１１０にて撮像素子１２への露光が行われている間にストロボ装置１９を発光させる。
【００２６】
ステップＳ１１１にてステップＳ１０１のＡＥにて求められた時間だけ露光した撮像素子１２の出力信号を読み出し、デジタルデータに変換してから、このデジタルデータを内蔵メモリ１５に書き込む。
【００２７】
ステップＳ１１２にて内蔵メモリ１５に書き込まれた画像データを記録媒体１８に書き込むための処理を開始するよう記録制御手段１６に指示をする。記録媒体への書き込み処理は、撮影動作とは非同期に行なわれるものであり、図３を用いて後述する。
【００２８】
ステップＳ１１３にて連写撮影モードに設定されているかを判定し、連写撮影モードに設定されていればステップＳ１１４に進み、設定されていなければ（すなわち、単写撮影モードに設定されていれば）このフローを終了する。
【００２９】
ステップＳ１１４にてＳＷ２がＯＮされ続けているかを判定し、ＯＮされ続けていればステップＳ１１５に進み、ＳＷ２がＯＮされ続けていなければ連写撮影が終了したとして、このフローを終了する。
【００３０】
ステップＳ１１５にて内蔵メモリ１５に空きがあるかを判定し、空きがあればステップＳ１０６に戻り、空きがなければ記録続行不可能なため、このフローを終了する。
【００３１】
ここで、ステップＳ１０７に戻りステップＳ１１６以降のフローについて説明を行う。
【００３２】
ステップＳ１１６にて、ステップＳ１０７で記録禁止フラグがＯＮしてからの時間を計測するためのタイマーを作動させる。
【００３３】
ステップＳ１１７にて記録禁止フラグがＯＮしてから所定時間が経過したかを判定し、所定時間経過していればステップＳ１１８に進み、所定時間経過していなければステップＳ１１７を繰り返す。この所定時間とは、少なくともストロボ装置１９による一度の発光が終了するまでに必要な十分な時間が設定されている。
【００３４】
ステップＳ１１８にて記録禁止フラグをオフ（ＯＦＦ）する。
【００３５】
ここで、前記ステップＳ１１２にてＣＰＵ２２から指示された記録制御手段１６の記録媒体への書き込み処理について説明する。
【００３６】
記録媒体１８への書き込みが指示されると、ステップＳ２０１にて記録禁止フラグがＯＮされているかを判定し、ＯＮされていればＯＦＦになるまで待機し、ＯＮされていなければ（つまり、ＯＦＦされていれば）ステップＳ２０２に進む。
【００３７】
ステップＳ２０２にて１ブロックの画像データの書き込みを行う。ここでわかるように、記録媒体１８への書き込み処理の指示があると、発光フラグがＯＮされていなければ即座に書き込み処理を実行できるが、発光フラグがＯＮされていると記録禁止フラグがＯＮしてから所定時間待機してからでないと書き込み処理を実行できない。このようにストロボ装置１９の発光の有無に応じて、画像データを記録媒体１８へ書き込み始めるタイミングを異ならしめている。
【００３８】
ステップＳ２０３にて内蔵メモリ１５の全ての画像データの全てのブロックが記録完了したかの判定し、まだ書き込まれていないブロックがある場合はステップＳ２０１に戻る。
【００３９】
このようにステップＳ１１６〜Ｓ１１８の計時動作は、ステップＳ１１２にて指示された記録媒体への書き込み動作に影響を及ぼす。
【００４０】
なお、連写撮影の場合には、２周目以降でステップＳ１０７に差し掛かったときに記録媒体１８への画像データの書き込みが行われていることが考えられる。この場合は、すでに書き込みが開始されている１ブロックの画像データの書き込みが終了した時点で記録媒体１８への書き込みを禁止する。また、記録禁止フラグはストロボ制御手段２０の指示に応じて設定されるものであり、記録禁止フラグがＯＮしてからストロボ装置１９が発光するまでの時間は、記録媒体１８への画像データ１ブロックの書き込みに要する最大の時間よりも長く設定されている。これにより、記録禁止フラグをＯＮする直前に画像データ１ブロックを記録媒体１８に書き込み始めた場合であっても、画像データを記録媒体１８に書き込んでいる最中にストロボ装置１９が発光してしまうことはない。
【００４１】
ここで図５に発光フラグのＯＮ／ＯＦＦ、ストロボ装置１９による発光、記録禁止フラグのＯＮ／ＯＦＦ、および画像データの記録媒体への書き込みのタイミングチャートの一例を示す。ここでは、発光フラグおよび記録禁止フラグの設定は撮像素子１２の垂直同期処理に同期して行われるものとし、記録媒体への１ブロック書き込みの最大時間はこの垂直同期処理の一周期よりも短いものとする。ストロボ制御手段２０はストロボ装置１９が発光可能になる一周期前に記録禁止フラグをＯＮし、以降の記録処理を記録禁止フラグがＯＦＦになるまで禁止する。記録禁止フラグがＯＮしてからストロボ装置１９による発光が確実に終了している所定時間（図４では５周期）が経過すると、記録禁止フラグはＯＦＦになり、待機させていた書き込み処理を再開する。
【００４２】
この所定時間は、記録禁止フラグがＯＮしてからストロボ装置が発光するまでの時間や、ストロボ装置の発光によるノイズの影響状態に応じて変化するものであり、デジタルスチルカメラの特性を考慮して適宜設定されるものである。また、この所定時間は、連写撮影時にステップＳ１０７、Ｓ１０８、Ｓ１０９・・・と進み、再びステップＳ１０７に戻ってくるまでの最小時間よりも短く設定される。所定時間がこの時間よりも長く設定されると、連写撮影が終了するまで記録禁止フラグがＯＦＦにならずに、連写撮影が終了するまで記録媒体１８への書き込みが行えないからである。
【００４３】
以上のように、本実施例によれば、ＡＥ（ステップＳ１０１）の結果によりストロボ装置１９による発光を行うと判定された場合には、記録禁止フラグがＯＮされ（ステップＳ１０７）、ストロボ装置１９による発光が完了する所定時間が経過するまでは記録禁止フラグがＯＦＦに設定されずカメラの内蔵メモリ１５内の画像データを記録媒体１８に書き込むことが行われない（ステップＳ１１７、Ｓ１１８、Ｓ２０１、Ｓ２０２）ため、画像データが内蔵メモリ１５と記録媒体１８の通信路上にてストロボ装置１９の発光に伴うノイズの影響を受けることを防止することができる。
【００４４】
また、連写撮影中であっても、最後にストロボ装置１９による発光が行われてから所定時間経過した場合には記録禁止フラグがＯＦＦされ、再び記録禁止フラグがＯＮされるまでの間は記録媒体１８への画像データの書き込みが可能になる（ステップＳ１１７、Ｓ１１８、Ｓ２０１、Ｓ２０２）。よって、連写撮影中であってもストロボ装置１９の発光に伴うノイズの影響を受けないタイミングにおいては、画像データの記録媒体１８への書き込みが行われることになり、画像データの総量が内部メモリの容量を超える連写撮影も可能となる。
【実施例２】
【００４５】
図４にデジタルスチルカメラの別の撮影動作のフローを示す。本実施例での連写撮影モードでは、１枚画像データを取得するたびにその画像データを基にＡＥを行って次の画像データを取得する点が実施例２と異なっている。つまり、連写撮影中であってもストロボ装置１９の発光の有無が切り替わる場合がある。
【００４６】
図４のフローにおいて、図２と同じ動作を行うステップには、図２と同じステップ番号が付与されている。図４のステップＳ１０１からステップＳ１１５までは図２とほぼ同じ動作であるため説明を省略し、ステップＳ１２１から説明を行う。
【００４７】
連写撮影が継続されている場合は、ステップＳ１１５から１２１に進み、ステップＳ１２１にて直前に撮影した画像データの輝度情報をもとにＡＥを行う。
【００４８】
ステップＳ１２２にて、ステップＳ１２１のＡＥ動作をうけてストロボ装置の発光を行わせる必要があるか否かを判定し、ストロボ装置を発光させる必要があると判断すればステップＳ１２３へ進み、必要がないと判断すればステップＳ１２４へ進む。もちろんストロボ装置１９を強制的に発光させるよう設定がなされていればＡＥ動作にて得られた結果によらずステップＳ１２３へ進む。
【００４９】
ステップＳ１２３にて発光フラグをＯＮし、ステップＳ１０６へ戻る。
【００５０】
ステップＳ１２４にて発光フラグをＯＦＦし、ステップＳ１０６へ戻る。
【００５１】
以上のように、本実施例によれば、連写撮影において各画像データ取得後のＡＥ（ステップＳ１２１）の結果によりストロボ装置１９による発光を行うと判定された場合には、記録禁止フラグがＯＮされ（ステップＳ１０７）、ストロボ装置１９による発光が完了する所定時間が経過するまでは記録禁止フラグがＯＦＦに設定されずカメラの内蔵メモリ１５内の画像データを記録媒体１８に書き込むことが行われない（ステップＳ１１７、Ｓ１１８、Ｓ２０１、Ｓ２０２）ため、画像データが内蔵メモリ１５と記録媒体１８の通信路上にてストロボ装置１９の発光に伴うノイズの影響を受けることを防止することができる。
【００５２】
また、連写撮影中であっても、最後にストロボ装置１９による発光が行われてから所定時間経過した場合には記録禁止フラグがＯＦＦされ、再び記録禁止フラグがＯＮされるまでの間は記録媒体１８への画像データの書き込みが可能になる（ステップＳ１１７、Ｓ１１８、Ｓ２０１、Ｓ２０２）。よって、連写撮影中であってもストロボ装置１９の発光に伴うノイズの影響を受けない状況においては、画像データの記録媒体１８への書き込みが行われることになり、画像データの総量が内部メモリの容量を超える連写撮影も可能となる。
【００５３】
なお、上述の各実施例では、記録禁止フラグがＯＮしてから所定時間経過したら記録禁止フラグをＯＦＦしていたが、ストロボ制御手段２０からストロボ装置１９の発光が完了したことを通知してもらい、これに応じて記録禁止フラグをＯＦＦするようにしてもよい。
【００５４】
この構成を実施した場合の、発光フラグのＯＮ／ＯＦＦ、ストロボ装置１９による発光、記録禁止フラグのＯＮ／ＯＦＦ、および画像データの記録媒体への書き込みのタイミングチャートの一例を図６に示す。
【００５５】
発光フラグおよび記録禁止フラグの設定は撮像素子１２の垂直同期処理に同期して行われるものとし、記録媒体への１ブロック書き込みの最大時間はこの垂直同期処理の一周期よりも短いものとする。ストロボ制御手段２０はストロボ装置１９が発光可能になる一周期前に記録禁止フラグをＯＮし、以降の記録処理を記録禁止フラグがＯＦＦになるまで禁止する。ここでは、記録禁止フラグがＯＮしているときに発光フラグがＯＮされると、記録禁止フラグがＯＦＦするように構成されており、ストロボ装置１９による発光が完了するとストロボ制御手段２０が直後の垂直同期処理に応じて発光フラグをＯＮする。これにより撮像素子の蓄積時間やストロボ装置の発光タイミング状態（先幕シンクロや後幕シンクロ）などに応じた細かな制御が可能になる。つまり、ストロボ装置１９の発光を行って記録禁止フラグをＯＦＦしてから、再び記録禁止フラグがＯＮするまでの時間を効率的に確保することができ、記録媒体１８への書き込み時間を実施例１よりも短縮することが可能になる。
【００５６】
また、上述の実施例ではストロボ装置を内蔵するデジタルスチルカメラを例にあげて説明をおこなったが、これに限るものではなく、ストロボ装置とデジタルスチルカメラ本体とを着脱可能な構成となっているものであっても良い。また、入射する光学像をエリアセンサなどの２次元配列された固体撮像素子を用いて光電変換により電気的な画像として取得するものであれば、ストロボ装置を発光させて電気的な画像を取得する際に本発明を適用することが可能である。
【図面の簡単な説明】
【００５７】
【図１】本発明におけるデジタルスチルカメラのブロック構成図の一例である。
【図２】本発明の実施例１におけるデジタルスチルカメラの撮影動作のフローである。
【図３】本発明のデジタルスチルカメラの記録媒体への書き込み動作のフローである。
【図４】本発明の実施例２におけるデジタルスチルカメラの撮影動作のフローである。
【図５】本発明における発光フラグのＯＮ／ＯＦＦ、ストロボ装置１９による発光、記録禁止フラグのＯＮ／ＯＦＦ、および画像データの記録媒体への書き込みのタイミングチャートの一例である。
【図６】本発明おける発光フラグのＯＮ／ＯＦＦ、ストロボ装置１９による発光、記録禁止フラグのＯＮ／ＯＦＦ、および画像データの記録媒体への書き込みのタイミングチャートの別の一例である。
【符号の説明】
【００５８】
１１  光学ユニット
１２  撮像素子
１３  画像処理手段
１４  表示手段
１５  内蔵メモリ
１６  記録制御手段
１７  接続部（インターフェース）
１８  記録媒体
１９  ストロボ装置
２０  ストロボ制御手段
２１  フラグ制御手段
２２  ＣＰＵ（演算手段）
２３  入力手段
【図１】
2006203527.tif 000003
【図２】
2006203527.tif 000004
【図３】
2006203527.tif 000005
【図４】
2006203527.tif 000006
【図５】
2006203527.tif 000007
【図６】
2006203527.tif 000008